(57)【要約】      （修正有）【課題】農業用水路或いは用排水兼用水路網から、自動的に全ての水田を満水にする用水システムを提供する。【解決手段】農業用水路における用水システムは、用水路６の分岐点で支流が担当する水田の面積の比率で縦に分流する山分け分流堰１４を具備し、各水田の取水口には水田が満水となった時、フロートにより多重弁を連動し取水を自動的に停止する自動満水栓を具備し、さらに各水田の満水時の水位に対し水路の水位が堰板の重ね具合で簡単に調整出来る水位可変越流堰を具備し、流域の全ての田を自動的に満水にする。山分け分流堰１４は、用水路６の分岐点の下流の頂点１１から、水路に取り付けられた下流の越流堰８より高い、越流堰１２と上ガイド１３にエル・アングルに鉄板を溶接した分流堰板１４を渡し、水路の下流の水田の面積に比例配分するようにネジ１５で固定する。【選択図】図２
0003220836.tif 000002
【実用新案登録請求の範囲】
【請求項１】
農業用水路に於いて、給水された水を水路の下流の水田に公平に分配し、さらに各水田の水位が自動的に一定とする事を特徴とする用水システム。
【請求項２】
農業用水路の分岐点にて、用水路から給水された水を水路の下流の水田の面積に比例配分する事を特徴とする「山分け分流堰」を具備する請求項１に記載の用水システム。
【請求項３】
水位が低い用排水兼用水路では、水位調整及び脱着が簡単で下流に効率よく越流す事を特徴とする「水位可変越流堰」を具備する請求項１に記載の用水システム。
【請求項４】
水田の水位調整が簡単で必要以上給水せず、さらに逆流しない設置が可能で、多重弁を特徴とする「用水満水栓」を具備する請求項１に記載の用水システム。
【考案の詳細な説明】
【技術分野】
【０００１】
本考案は、農業用水路或いは用排水兼用水路網から、自動的に全ての水田を満水にするシステムに関するものである。
【背景技術】
【０００２】
各々の水田の引水は、話し合いにより、順次水路に堰を設置し、水が来たら引水し、満水になるのを待ち、給水口を閉じ、堰を撤去し、次の田に供給するという配慮によって実施されてきた。この様な引水作業は、水田の水位が下がる度に繰り返されていた。
【先行技術文献】
【特許文献】
【０００３】
【特許文献１】実開昭58-038090
【特許文献２】実開昭61-182477
【特許文献３】実開昭58-066409
【特許文献４】実開昭48-065710
【特許文献５】特開2009-138344
【考案の概要】
【考案が解決しようとする課題】
【０００４】
水田の灌水の主目的は除草効果であるが，農業用水路からの我田への引水は、少子高齢化に伴い、休日に農作業を行う農家が増加し、以前の様に引水中の水田が満水になっても堰を撤去出来なくなった。従って田への引水は非効率でストレスが大きい作業であり、その結果下流の田が干上がったり、オーバーフローにより除草剤の効果が低減し、さらに農薬が流出し水質が悪化する。
【課題を解決するための手段】
【０００５】
本考案は、地域に於ける用水路網の全体を考慮し、農業用水の分岐点に於いて、給水された水を水路の下流の水田の面積に比例配分する「山分け分流堰」にて、全ての田に公平に水を配給し、「水位可変越流堰」にて、我田に引水するとともに下流に効率よく越流し、水位調整が簡単で田に必要以上給水せずさらに逆流しない設置が可能な「用水満水栓」により、全ての水田の水位が自動的に満水となる用水システムにより、問題を解決しようとするものである。
【考案の効果】
【０００６】
水田の引水は、高齢者でも休日しか農作業出来ない者でも、ストレスが少なく水の管理の省力化が期待できる。また水路の最後の田が満水となった時、用水の供給を停止出来るので節水も期待できる。さらに「用水満水栓」はオーバーフローも逆流もしない設置が可能なので、農薬の流出が抑制され、農薬の効果が高まり、環境への影響が少なくなると期待できる。
【図面の簡単な説明】
【０００７】
【図１】用水路網の例。
【図２】山分け分流堰の実施例を示す上面及び側面図である。
【図３】水位可変越流堰の正面及び実施例を示す側面図である。
【図４】用水満水栓機構の図面である。
【図５】用水満水栓の設置実施例を示す上面、正面面図である。
【考案を実施するための形態】
【０００８】
請求項２の「山分け分流堰」は、用水路（６）の分岐点の下流の頂点（１１）から、水路に取り付けられた下流の越流堰（８）より高い、越流堰（１２）と上ガイド（１３）にエル・アングルに鉄板を溶接した分流堰板（１４）を渡し、水路の下流の水田の面積に比例配分する様ネジ（１５）で固定する。
【０００９】
請求項３の「水位可変越流堰」（９）は用排水兼用水路の幅より長い角材と深さの約１．５倍の角材２本の枠（１７）に、水路の幅に調整した堰板（１８）２枚を台形状に固定する。満水に必要な枚数の自由に移動・脱着が可能な堰板（１９）を仮置きし、全ての堰板を覆い被さる様にシート（２０）を堰板（１８ａ）に固定する。尚、枠と移動可能な堰板には流れ止め（２１）で連結する。
【００１０】
請求項４の「用水満水栓」は弁座の径をRとすると第ｎ弁座の径をR/（SQRT（２））＾ｎとすると水位変動が激しい用水路の水圧の影響を少なくする事が出来る。ここでは２弁の「用水満水栓」について説明する。「用水満水栓」の本体（２４）は、パイプ（２５）の上側に、給水穴を開けた板（２６）に弁座（２７）及び芯棒（２８）を通す穴があるステー（２９）を溶接し、下側には芯棒を通す穴があるステー（３０）を溶接にする。第一弁（３１）は、給水穴を開けた円板（３２）に弁座（３３）及び芯棒を通す穴があるステー（３４）を溶接する。第二弁（３５）は、円板に芯棒を通す穴をあける。蝶ねじ、ナット、ワッシャ、本体（２４）、パイプ、ワッシャ、第一弁（３１）、パイプ、ワッシャ、第二弁（３５）、ワッシャ、パイプ、ワッシャ、ナットの順で組み立てる。フロートを担ぐ棒（３６）の両端に重り付きフロート（３７）を取り付け、配管の用水満水栓機構を装着するエルボー（３８）に装着する。
配管は、給水口にゴミ除去スクリーンを取り付け、逆流しない場合（３９）では、用水路の吸入パイプに下向きのエルボー、横向きのエルボー、上向きの用水満水栓機構を装着するエルボー（３８）を接続し、サイフォン構造の管路（４０）を構成する。
水位が低い用排水兼用水路（７）の排水口から給水する場合（４１）では、上向きの用水満水栓機構を装着するエルボー（３８）を接続し、逆流しない様「用水満水栓」の出口が満水位より高いサイフォン構造の管路（４２）を構成する。或は逆流防止パイプ（４５）を設置する。
【実施例】
【００１１】
請求項１の用水システムでは、地域の用水路網モデルを作成し、渇水時の最低水量で各分流点の最適な山分け比率を計算する。これが請求項２の「山分け分流堰」の分配比の論理的根拠となる、これを用水利用者に提示し、御理解を得るのが肝要である。
図１用水路網の例では、合流点（１）の必要水量＝２、合流点（２）の必要水量＝４、合流点（３）の必要水量＝５、分岐点（４）の必要水量＝１６、右の水量＝９、下の水量＝７、分岐点（５）の必要水量＝２７、右の水量＝１１、下の水量＝１６、従って分流点（４）の分配比は９：７、分流点（５）の分配比は１１：１６となる。
【００１２】
請求項３の「水位可変越流堰」の設置方法は、上流から流すように沈め、シート（２０）の下端を足で押さえ、水圧で水路に固定したら、シートの下方に拳大の石（２２）２個をのせ、流れ止め（２１ａ）を杭に結ぶ。水位の調整方法は、稼動可能な堰板（１９）の重ね合わせ量を調整し、シートを被せて水圧で水位を固定する。脱着が簡単なので水害が発生する前に撤去する事が可能である。
【００１３】
請求項４の「用水満水栓」（２４）は，重り付きフロート（３７）と弁２（３５）は水位と共に連動して動作する。水位が低い場合、弁２（３５）は弁１（３１）を引き下げ最大給水状態となる。徐々に水位が上がると弁２（３５）は弁１（３１）を押し上げ給水量が徐々に減少する。満水近傍となった時弁１（３１）は閉じる。さらに水位が上がると弁２（３５）も閉じ給水を停止する。蒸散及び漏水により水位が徐々に低下すると、弁２（３５）が引き下げられ徐々に給水が始まる。さらに水位が低下すると、弁１（３１）も引き下げられ給水量が増加する。この様に「用水満水栓」は，重り付きフロート（３７）が一定の高さになる様に挙動する。
「用水満水栓」の水位調整方法は、用水路の水位を最大にし、フロートを取り外した状態で、自重で弁が下がらない場合、確実に下がる重りをフロートに取り付け、満水位となる様、蝶ネジにて重り付きフロート（３７）の位置を調整する。
満水時フロートを大きく押さえ急激に開放するとウオーターハンマー現象を起こす事があるが、発振が停止する様フロートの重量や給水量を再調整する。用水路の堰を給水口の半分の高さの越流堰に変更する。
間欠用水路の場合、用水供給開始時、満水時とのフロート位置の差がその田の漏水の指標となる。また常時流水している場合は、「用水満水栓」の流入量がその田の漏水の指標となる。地域全体の漏水の大きい順にリストアップし漏水対策を施す。
【符号の説明】
【００１４】
１  合流点１
２  合流点２
３  合流点３
４  分岐点４
５  分岐点５
６  用水路
７  用排水兼用水路
８  越流堰
９  水位可変越流堰
１０ 用水満水栓
１１ 分岐点の下流の頂点
１２ 越流堰
１３ 上ガイド
１４ 山分け分流堰板
１５ 固定ネジ
１６ 給水口
１７ 枠
１８ 堰板
１９ 自由に移動・脱着が可能な堰板
２０ シート
２１ 流れ止め
２２ 石
２３ 満水位
２４ 用水満水栓機構
２５ 本体パイプ
２６ 給水穴を開けた板
２７ 弁座
２８ 芯棒
２９ 上ステー
３０ 下ステー
３１ 第一弁
３２ 給水穴を開けた板
３３ 弁座
３４ ステー
３５ 第二弁
３６ フロートを担ぐ棒
３７ 重り付きフロート
３８ 用水満水栓機構を装着するエルボー
３９ 逆流しない場合の上面図
３９ａ 逆流しない場合の測面図
３９ｂ  中干しや間断灌水等の給水停止時の測面図４０ サイフォン構造の管路
４１ 用排水兼用水路（７）の排水口から給水する場合の上面図
４１ａ 用排水兼用水路（７）の排水口から給水する場合の測面図
４２ 逆流しない様「用水満水栓」の出口が満水位より高いサイフォン構造の管路
４３ 満水位
４４ 回転止め
４５ 逆流防止パイプ
【図１】
0003220836.tif 000003
【図２】
0003220836.tif 000004
【図３】
0003220836.tif 000005
【図４】
0003220836.tif 000006
【図５】
0003220836.tif 000007
【手続補正書】
【提出日】平成30年11月14日(2018.11.14)
【手続補正１】
【補正対象書類名】実用新案登録請求の範囲
【補正対象項目名】全文
【補正方法】変更
【補正の内容】
【実用新案登録請求の範囲】
【請求項１】
農業用水路に於いて、請求項２の「山分け分流堰」にて給水された水を水路の下流の水田に公平に分配し、必要以上に給水しない請求項４の「用水自動満水栓」に給水し余った水を下流に効率よく越流する請求項３の「水位可変越流堰」を具備する事を特徴とする用水システム。
【請求項２】
用水路の分岐点の下流側の頂点から、分岐の上流の下部に下流の越流堰より高い越流堰と上部に渡したガイドに分流堰板を、水路の下流の水田の面積に比例配分する様ガイドに縦に固定する事を特徴とする「山分け分流堰」。
【請求項３】
用水路の幅より長い角材と深さの約１．５倍の角材２本の枠に、水路の幅に調整した堰板２枚を台形状に固定し、満水位に必要な枚数の自由に移動・脱着が可能な堰板を仮置きし枠と流れ止めで連結し、全ての堰板を覆い被さる様にシートを堰板に固定し、自由に移動可能な堰板を重ね合わす事により水位調整する事を特徴とする「水位可変越流堰」。
【請求項４】
パイプの上側に、給水穴を開けた板に弁座及び長ネジを通す穴があるステーを溶接し、下側には長ネジを通す穴があるステーを溶接した本体に、給水穴を開けた円板に弁座及び長ネジを通す穴があるステーを溶接した弁２個と円板に長ネジを通す穴をあけた弁を、長ネジにナット、座金、スペーサ、本体上穴、座金、弁１、座金、スペーサ、弁２、座金、スペーサ、座金、弁、座金、スペーサ、本体下穴、座金、ナットの順に組み上げ、上部にフロートを担ぐ棒に重り付きフロートを取り付けた自動満水栓本体を、用水路の給水口にゴミ除去スクリーンを取り付け、給水パイプに90°エルボーを斜め下向き、横向き、上向きに配管し、自動満水栓本体を装着し、自動満水栓の出口を満水位となる様エルボーの角度を調整する事により、必要以上に給水せず逆流しない事を特徴とする「用水自動満水栓」。
【手続補正書】
【提出日】平成31年2月18日(2019.2.18)
【手続補正１】
【補正対象書類名】実用新案登録請求の範囲
【補正対象項目名】全文
【補正方法】変更
【補正の内容】
【実用新案登録請求の範囲】
【請求項１】
農業用水路における用水システムは、用水路の分岐点で支流が担当する水田の面積の比率で縦に分流する山分け分流堰を具備し、各水田の取水口には水田が満水となった時、フロートにより多重弁を連動し取水を自動的に停止する自動満水栓を具備し、さらに各水田の満水時の水位に対し水路の水位が堰板の重ね具合で簡単に調整出来る水位可変越流堰を具備し、流域の全ての田を自動的に満水にする事を特徴とする用水システム。
【請求項２】
前記山分け分流堰は、用水路の分岐点の下流の頂点から上流に向かい、支流が担当する水田の面積の比率で、水路幅に縦に分岐板を立て水量を分流し流域の全ての田に水が公平に行き渡る事を特徴とする請求項１に記載の用水システム。
【請求項３】
前記水位可変越流堰は、用水路の幅より長い角材と深さの約１．５倍の角材２本の枠に、水路の最下部に堰板を台形状に固定し、水路の上流を下部とし斜めに傾けて設置し、自由に移動脱着可能な堰板の重ね合わせ量を調整しシートにより漏水を抑制し簡単に脱着及び水位調整出来る事を特徴とする請求項１に記載の用水システム。
【請求項４】
前記用水自動満水栓は、パイプの上側に、給水穴を開けた円板に弁座及び長ネジを通す穴があるステーを有し、下側にはステーに長ネジを通す穴がある満水栓本体に、給水穴を開けた円板に弁座及び長ネジを通す穴がある弁数枚と円板に長ネジを通す穴をあけた弁を、長ネジにナット、座金、スペーサ、本体上穴、座金、弁１、スペーサ、座金、弁２、スペーサ、座金、弁、座金、スペーサ、本体下穴、座金、ナットの順に組み立て、上部にフロートを担ぐ棒に重り付きフロートを取り付けた自動満水栓本体を、用水路の給水口にゴミ除去スクリーンを取り付け、給水パイプに90°エルボーを斜め下向き、横向き、上向きに配管し、自動満水栓本体を装着し、自動満水栓の水の出口を満水位となる様エルボーの角度とフロートの高さを調整する事により、必要以上に給水せず逆流しない事を特徴とする請求項１に記載の用水システム。